(57)【要約】【課題】はめ合い摩擦を軽減したオルダムカップリング【解決手段】球１２、１３、１４、１５、１６の一部分がオルダムカップリング１のはめ合い突起部５、６のはめ合い接触面９、１０、１１より露出して自在に回動するように球１２、１３、１４、１５、１６をはめ合い突起部５、６に埋め込み、はめ合い突起部５、６とはめ合うはめ合い溝７、８が中間トルクディスク４の両面側に直角に交叉して設けられたオルダムカップリング１に於いて、はめ合い突起部５、６とはめ合い溝７、８が球１２、１３、１４、１５、１６を介した点接触はめ合いにより一体構成されるオルダムカップリング１【選択図】図１
2008185205.tif 000002
【特許請求の範囲】
【請求項１】
球１２、１３、１４、１５、１６の一部分がオルダムカップリング１の継手ボス２、３のはめ合い突起部５、６のはめ合い接触面９、１０、１１より露出して自在に回動するように球１２、１３、１４、１５、１６をはめ合い突起部５、６に埋め込み、はめ合い突起部５、６とはめ合うはめ合い溝７、８が中間トルクディスク４の両面側に直角に交叉するように配置されて設けられたオルダムカップリング１
【請求項２】
磁石１７、１８、２２をオルダムカップリング１の継手ボス２、３のはめ合い突起部５、６に埋め込み、はめ合い突起部５、６とはめ合うはめ合い溝７、８が中間トルクディスク４の両面側に直角に交叉するように配置されて設けられたオルダムカップリング１に於いて、はめ合い溝７、８にも、はめ合い突起部５、６の磁石１７、１８、２２と非接触に対向して反発するように磁石１９、２０、２１を埋め込む構造のオルダムカップリング１
【請求項３】
球１２、１３、１４、１５、１６の一部分がオルダムカップリング１の継手ボス２、３のはめ合い突起部５、６のはめ合い接触面９、１０、１１より露出して自在に回動するように球１２、１３、１４、１５、１６をはめ合い突起部５、６に埋め込み、更に磁石１７、１８、２２を継手ボス２、３のはめ合い突起部５、６に埋め込み、はめ合い突起部５、６とはめ合うはめ合い溝７、８が中間トルクディスク４の両面側に直角に交叉するように配置されて設けられたオルダムカップリング１に於いて、はめ合い溝７、８にも、はめ合い突起部５、６の磁石１７、１８、２２と非接触に対向して反発するように磁石１９、２０、２１を埋め込む構造のオルダムカップリング１
【発明の詳細な説明】
【技術分野】
【０００１】本発明は従来のオルダムカップリングのはめ合い摩擦を軽減する構造に関するものである。
【背景技術】
【０００２】オルダムカップリングに於ける従来のはめ合い構造には、大きなはめ合い摩擦を伴う欠点があり、はめ合い摩擦の軽減が要求されている。
【発明の開示】
【発明が解決しようとする課題】
【０００３】本発明はオルダムカップリングのはめ合い部に球を埋め込み、自在に回動する球を介した点接触はめ合いによりはめ合い摩擦を軽減する、又、はめ合い部に反発しあう磁石を非接触に対向させて相互に埋め込み、非接触反発はめ合いによりはめ合い摩擦を軽減する、更に、はめ合い部に自在に回動する球、及び、磁石を埋め込み、磁石間の非接触反発力と、自在に回動する球を介した点接触の両者により、はめ合い部のはめ合い摩擦を軽減する、これらの構造をオルダムカップリングに具備させようとするものである。
【課題を解決するための手段】
【０００４】上記の目的を達成する本発明の第一実施例は球の一部分がオルダムカップリングの継手ボスのはめ合い突起部のはめ合い接触面より露出して自在に回動するように球をはめ合い突起部に埋め込み、はめ合い突起部とはめ合うはめ合い溝が中間トルクディスクの両面側に直角に交叉するように配置されて設けられたオルダムカップリングである。【０００５】第二実施例に於いては、磁石をオルダムカップリングの継手ボスのはめ合い突起部に埋め込み、はめ合い突起部とはめ合うはめ合い溝が中間トルクディスクの両面側に直角に交叉するように配置されて設けられたオルダムカップリングに於いて、はめ合い溝にも、はめ合い突起部の磁石と非接触に対向して反発するように磁石を埋め込む構造のオルダムカップリングである。【０００６】第三実施例に於いては、球の一部分がオルダムカップリングの継手ボスのはめ合い突起部のはめ合い接触面より露出して自在に回動するように球をはめ合い突起部に埋め込み、更に磁石を継手ボスのはめ合い突起部に埋め込み、はめ合い突起部とはめ合うはめ合い溝が中間トルクディスクの両面側に直角に交叉するように配置されて設けられたオルダムカップリングに於いて、はめ合い溝にも、はめ合い突起部の磁石と非接触に対向して反発するように磁石を埋め込む構造のオルダムカップリングである。
【発明の効果】
【０００７】上記のように、本発明によれば、はめ合い摩擦を軽減されたオルダムカップリングはより広い分野の産業に於いて使用される等の利点がある。
【発明を実施するための最良の形態】
【０００８】以下に、本発明の実施例を図面に基づき詳細に説明する。
図１は本発明の第一実施例に於けるオルダムカップリングに関するものである。
図２は本発明の第二実施例に於けるオルダムカップリングに関するものである。【０００９】図１に示すように、球１２、１３、１４、１５、１６の一部分がオルダムカップリング１の継手ボス２、３のはめ合い突起部５、６のはめ合い接触面９、１０、１１より露出して自在に回動するように球１２、１３、１４、１５、１６をはめ合い突起部５、６に埋め込み、はめ合い突起部５、６とはめ合うはめ合い溝７、８が中間トルクディスク４の両面側に直角に交叉するように配置されて設けられたオルダムカップリング１に於いては、はめ合い突起部５、６とはめ合い溝７、８のはめ合いは、球１２、１３、１４、１５、１６を介した点接触はめ合いとなる。この時に生じる点接触摩擦は、球１２、１３、１４、１５、１６、の自在な回動により軽減され、はめ合い摩擦は軽減する。【００１０】図２に示すように、磁石１７、１８、２２をオルダムカップリング１の継手ボス２、３のはめ合い突起部５、６に埋め込み、はめ合い突起部５、６とはめ合うはめ合い溝７、８が中間トルクディスク４の両面側に直角に交叉するように配置されて設けられたオルダムカップリング１に於いて、はめ合い溝７、８にも、はめ合い突起部５、６の磁石１７、１８、２２と非接触に対向して反発するように磁石１９、２０、２１を埋め込む構造のオルダムカップリング１に於いては、はめ合い突起部５、６とはめ合い溝７、８のはめ合いは、対向する磁石１７、１８、１９、２０、２１、２２間の反発による非接触はめ合いとなるから、はめ合い摩擦は生じないか、生じても最小値となる。【００１１】球１２、１３、１４、１５、１６の一部分がオルダムカップリング１の継手ボス２、３のはめ合い突起部５、６のはめ合い接触面９、１０、１１より露出して自在に回動するように球１２、１３、１４、１５、１６をはめ合い突起部５、６に埋め込み、更に磁石１７、１８、２２を継手ボス２、３のはめ合い突起部５、６に埋め込み、はめ合い突起部５、６とはめ合うはめ合い溝７、８が中間トルクディスク４の両面側に直角に交叉するように配置されて設けられたオルダムカップリング１に於いて、はめ合い溝７、８にも、はめ合い突起部５、６の磁石１７、１８、２２と非接触に対向して反発するように磁石１９、２０、２１を埋め込む構造のオルダムカップリング１に於いては、はめ合い突起部５、６とはめ合い溝７、８のはめ合いは、球１２、１３、１４、１５、１６を介した点接触はめ合いとなる。この時に生じる点接触摩擦は、球１２、１３、１４、１５、１６、の自在な回動により軽減されると共に、磁石１７、１８、１９、２０、２１、２２間に生じる非接触反発力により、はめ合い摩擦は更に軽減する。
【実施例】
【００１２】以上に本発明の実施例を説明したが、本発明の範囲はこれに限定されない。オルダムカップリンのはめ合いの形状、構造、構成部材及び材質等の全ては使用の状態に応じて適宜に選択できるので、本発明の実施例に限定されるものではなく、任意の選定が可能である。
【産業上の利用可能性】
【００１３】本発明は軸回転トルクの伝達が必要な全ての機器の連結に対応できる。
【図面の簡単な説明】
【００１４】
【図１】本発明の第一実施例に於ける斜視図詳細図である。
【図２】本発明の第二実施例に於ける斜視図詳細図である。
【符号の説明】
【００１５】１        オルダムカップリング
２、３    継手ボス
４        中間トルクディスク
５、６    はめ合い突起部
７、８    はめ合い溝
９、１０、１１    はめ合い接触面
１２、１３、１４、１５、１６          球
１７、１８、１９、２０、２１、２２    磁石
【図１】
2008185205.tif 000003
【図２】
2008185205.tif 000004